(57)【要約】【課題】ユーザの運動量をも考慮して商品を推奨すること、及びそれによって販売促進を行うことが可能な商品販売システム等を提供する。【解決手段】ユーザが有する端末装置１０と、販売管理手段商品の販売を管理する販売管理手段４０と、販売管理手段４０を制御する制御手段３０とを備え、端末装置１０がユーザの運動による実消費エネルギ量を測定し、制御手段３０が実消費エネルギ量、属性情報、環境情報と、に基づいてユーザに適した商品を選択し、販売管理手段４０がユーザに推薦すべき商品情報を表示する。【選択図】図１
2016128956.tif 000002
【特許請求の範囲】
【請求項１】
目標値に対する当該実消費エネルギ量の差分値を受信するエネルギ量受信部と、
商品のカロリー情報を記憶するカロリー情報記憶部を管理する記憶管理部と、
前記差分値及び前記カロリー情報に基づいて商品の提示を行う商品提示部と、
ユーザにより選択された商品のカロリー情報を含む商品情報を送信する商品情報送信部と、
を備えることを特徴とする商品販売装置。
【請求項２】
請求項１に記載の商品販売装置において、
前記商品を前記ユーザに提示する際に、前記カロリー情報記憶部に記憶された各商品の中から、前記差分値に対して所定の条件を具備するカロリー情報を有する商品を前記ユーザに適した商品として決定する商品決定部を更に備え、
前記商品提示部が、
前記決定されたユーザに適した商品を提示する、商品販売装置。
【請求項３】
請求項２に記載の商品販売装置において、
前記ユーザの属性情報を取得する属性情報取得部を更に備え、
前記商品決定部が、
前記ユーザに適した商品を決定する際に前記属性情報を利用する、商品販売装置。
【請求項４】
請求項３に記載の商品販売装置において、
前記属性情報取得部が、前記ユーザを撮影し、当該撮影によって得られた画像に基づいて前記ユーザの性別及び年齢層の少なくともいずれか一方を前記属性情報として推測して取得する、商品販売装置。
【請求項５】
請求項２〜４のいずれか１項に記載の商品販売装置において、
当該商品販売装置の周囲の環境に関する情報を環境情報として取得する環境情報取得部を更に備え、
前記商品決定部が、
前記ユーザに適した商品を決定する際に前記環境情報を利用する、商品販売装置。
【請求項６】
請求項１〜５のいずれか１項に記載の商品販売装置において、
前記提示した商品に対する電子決済を行う決済部を有する、商品販売装置。
【請求項７】
請求項１〜６のいずれか１項に記載の商品販売装置において、
前記実消費エネルギ量が、前記ユーザに対して商品が提示される当日における商品の提示時点までに消費されたエネルギ量であり、
前記実消費エネルギ量の目標値が、予め設定された前記ユーザの前記商品が提示される当日における消費すべきエネルギ量である、商品販売装置。
【請求項８】
ユーザの消費した実消費エネルギ量を測定する測定部と、
前記実消費エネルギ量の目標値が記憶される目標値記憶部を制御する記憶制御部と、
前記目標値に対する前記実消費エネルギ量の第１の差分値を算出する目標値算出部と、
前記第１の差分値を送信するエネルギ量送信部と、
前記商品のカロリー情報を含む商品情報を受信する商品情報受信部と、
を備え、
前記目標値算出部が、
前記カロリー情報及び前記目標値に基づいて前記実消費エネルギ量との第２の差分値を算出することを特徴とする端末装置。
【請求項９】
コンピュータを、
目標値に対する当該実消費エネルギ量の差分値を受信するエネルギ量受信部、
商品のカロリー情報を記憶するカロリー情報記憶部を管理する記憶管理部、
前記差分値及び前記カロリー情報に基づいて商品の提示を行う商品提示部、及び、
ユーザにより選択された商品のカロリー情報を含む商品情報を送信する商品情報送信部、
として機能させることを特徴とするプログラム。
【請求項１０】
コンピュータを、
ユーザの消費した実消費エネルギ量を測定する測定部、
前記実消費エネルギ量の目標値が記憶される記憶部を制御する記憶制御部、
前記目標値に対する前記実消費エネルギ量の第１の差分値を算出する目標値算出部、
前記第１の差分値を送信するエネルギ量送信部、及び
前記商品のカロリー情報を含む商品情報を受信する商品情報受信部、
として機能させ、
前記目標値算出部が、
前記カロリー情報及び前記目標値に基づいて前記実消費エネルギ量との第２の差分値を算出することを特徴とするプログラム。
【請求項１１】
ユーザの消費した実消費エネルギ量を測定する端末装置と、
前記実消費エネルギ量に基づいてユーザに商品を提示する商品販売装置と、
を有し、
前記端末装置が、
前記実消費エネルギ量を測定する測定部と、
前記実消費エネルギ量の目標値が記憶される記憶部を制御する記憶制御部と、
前記目標値に対する前記実消費エネルギ量の第１の差分値を算出する目標値算出部と、
前記第１の差分値を前記商品販売装置に送信するエネルギ量送信部と、
前記商品販売装置から送信された商品のカロリー情報を含む商品情報を受信する商品情報受信部と、
を備え、
前記目標値算出部が、
前記カロリー情報及び前記目標値に基づいて前記実消費エネルギ量との第２の差分値を算出し、
前記商品販売装置が、
前記端末装置から送信された前記第１の差分値を受信するエネルギ量受信部と、
前記商品のカロリー情報を記憶するカロリー情報記憶部を管理する記憶管理部と、
前記第１の差分値及び前記カロリー情報に基づいて商品の提示を行う商品提示部と、
前記ユーザにより選択された商品のカロリー情報を含む商品情報を前記端末装置に送信する商品情報送信部と、
を備えることを特徴とする商品販売システム。
【発明の詳細な説明】
【技術分野】
【０００１】
本発明は、ユーザに対して自動的に物品等を販売等するための商品販売システム、それに使用されるユーザが所持する端末装置及び商品販売装置並びに端末装置及び商品販売装置のプログラムに関する。
【背景技術】
【０００２】
従来、例えば、飲料等の商品を自動的に提供する自動販売機が、広く普及している。この種の自動販売機においては、以前より、季節や時間帯等の環境情報に基づいて、一部の商品を推奨するものが知られていた。
【０００３】
また、近年では、大型ディスプレイを搭載したデジタルサイネージ型の自動販売機の普及に伴い、上述の環境情報の他に、備えられたセンサにより対面するユーザの身長や顔情報等を読み取ってユーザの性別や年齢層等のユーザ情報を取得し、これらの情報に基づいて一部の商品を推奨する自動販売機（例えば、特許文献１）が提案されている。このような自動販売機によれば、環境情報のみならずユーザ情報をも加味して商品を推奨しているので、より販売促進に結びつき易い効果的な推奨を実現できる。
【先行技術文献】
【特許文献】
【０００４】
【特許文献１】特開２０１１−２０３９５２号公報
【発明の概要】
【発明が解決しようとする課題】
【０００５】
しかしながら、上記特許文献１に開示された自動販売機にあっては、ユーザ情報については、自動販売機がユーザの外見的な情報を読み取るだけであるので、年齢や性別程度の情報しか取得できない。このため、自動販売機による推奨商品が、ユーザにとって適切な推奨商品になるとは限らず、販売促進につながらない場合もある。
【０００６】
本発明は、上記課題を解決するためになされたものであり、その目的は、ユーザの運動量をも考慮して商品を推奨すること、及びそれによって販売促進を行うことが可能な商品販売システム等を提供することにある。
【課題を解決するための手段】
【０００７】
（１）上述した課題を解決するため、本発明の商品販売装置などは、目標値に対する当該実消費エネルギ量の差分値を受信するエネルギ量受信部と、商品のカロリー情報を記憶するカロリー情報記憶部を管理する記憶管理部と、前記差分値及び前記カロリー情報に基づいて商品の提示を行う商品提示部と、ユーザにより選択された商品のカロリー情報を含む商品情報を送信する商品情報送信部と、を備える構成を有している。
【０００８】
この構成より、本発明の商品販売装置は、例えば、ユーザが商品を購入しようとする際に、ユーザの実消費エネルギ量とその目標値との差分値、及び、商品のカロリー情報に基づいて商品を提示し、かつ、例えば当該提示した商品を購入したユーザに当該提示した商品の情報（すなわち、商品情報）を送信することができる。
【０００９】
したがって、本発明の商品販売装置は、ユーザの運動量などの実消費エネルギ量の消費をも考慮してユーザが購入すべき商品などの商品を提示することができるとともに、当該商品のカロリー情報をその後のエネルギ消費の算出に用いるなどユーザに提供することができるので、これらを利用させることによって商品提供サービスを向上させてユーザへの商品の販売促進を図ることができる。
【００１０】
（２）また、本発明の端末装置などは、ユーザの消費した実消費エネルギ量を測定する測定部と、前記実消費エネルギ量の目標値が記憶される目標値記憶部を制御する記憶制御部と、前記目標値に対する前記実消費エネルギ量の第１の差分値を算出する目標値算出部と、前記第１の差分値を、商品を提示する商品販売装置に送信するエネルギ量送信部と、前記商品販売装置から送信された商品のカロリー情報を含む商品情報を受信する商品情報受信部と、を備え、前記目標値算出部が、前記カロリー情報及び前記目標値に基づいて前記実消費エネルギ量との第２の差分値を算出する、構成を有している。
【００１１】
この構成により、本発明の端末装置は、例えば、購入すべき商品を選択する際に目標値に対するユーザの運動量などの実消費エネルギ量の第１の差分値を、例えば、商品を提示する商品販売装置に送信し、当該商品販売装置からする提示された商品（例えば、購入した商品）のカロリー情報を受信することができる。
【００１２】
したがって、本発明の端末装置は、例えば、商品を購入する際にユーザの運動量をも考慮させるための情報を提供することができるとともに、ユーザの運動量の管理などのユーザ側で使用可能なカロリー情報を取得することができるので、これらを利用させることによって商品提供サービスを向上させてユーザへの商品の販売促進を図ることができる。
【００１３】
（３）また、本発明の商品販売システムは、ユーザの消費した実消費エネルギ量を測定する端末装置と、前記ユーザに商品を提示する商品販売装置と、を有し、前記端末装置が、前記実消費エネルギ量を測定する測定部と、前記実消費エネルギ量の目標値が記憶される記憶部を制御する記憶制御部と、前記目標値に対する前記実消費エネルギ量の第１の差分値を算出する目標値算出部と、前記第１の差分値を前記商品販売装置に送信するエネルギ量送信部と、前記商品販売装置から送信された商品のカロリー情報を含む商品情報を受信する商品情報受信部と、を備え、前記目標値算出部が、前記カロリー情報及び前記目標値に基づいて前記実消費エネルギ量との第２の差分値を算出し、前記商品販売装置が、前記端末装置から送信された前記第１の差分値を受信するエネルギ量受信部と、前記商品のカロリー情報を記憶するカロリー情報記憶部を管理する記憶管理部と、前記第１の差分値及び前記カロリー情報に基づいて商品の提示を行う商品提示部と、前記ユーザにより選択された商品のカロリー情報を含む商品情報を前記端末装置に送信する商品情報送信部と、を備える構成を有している。
【００１４】
この構成により、本発明の商品販売システムは、例えば、ユーザが商品を購入しようとする際に、ユーザの実消費エネルギ量とその目標値との差分値、及び、商品のカロリー情報に基づいて商品を提示し、かつ、例えば当該提示した商品を購入したユーザに当該提示した商品の情報（すなわち、商品情報）を送信することができる。
【００１５】
したがって、本発明の商品販売システムは、ユーザの運動量などの実消費エネルギ量の消費をも考慮してユーザが購入すべき商品などの商品を提示することができるとともに、当該商品のカロリー情報をその後のエネルギ消費の算出に用いるなどユーザに提供することができるので、これらを利用させることによって商品提供サービスを向上させてユーザへの商品の販売促進を図ることができる。
【発明の効果】
【００１６】
本発明の商品販売装置などは、ユーザの運動量などの実消費エネルギ量の消費をも考慮してユーザが購入すべき商品などの商品を提示することができるとともに、当該商品のカロリー情報をその後のエネルギ消費の算出に用いるなどユーザに提供することができるので、これらを利用させることによって商品提供サービスを向上させてユーザへの商品の販売促進を図ることができる。
【図面の簡単な説明】
【００１７】
【図１】本発明の一実施形態における商品販売システムの構成を示すシステム構成図である。
【図２】一実施形態におけるウエアラブルデバイスの構成を示すブロック図である。
【図３】一実施形態における自動販売機の構成を示すブロック図である。
【図４】一実施形態におけるサーバ装置の構成を示すブロック図である。
【図５】一実施形態の商品販売システムにおけるウエアラブルデバイスにおいて実行される各処理を示すフローチャートである。
【図６】一実施形態の商品販売システムにおける自動販売機において実行される各処理を示すフローチャートである。
【図７】一実施形態の商品販売システムにおけるサーバ装置において実行される各処理を示すフローチャートである。
【発明を実施するための形態】
【００１８】
以下、図面を参照しつつ、本発明の実施形態について説明する。なお、以下の実施形態は、端末装置と情報を通信可能な自動販売機と、この自動販売機とネットワークを介して接続されるサーバ装置と、を有する商品販売システムに対し、本発明に係る、商品販売システム、端末装置及び商品販売管理装置、並びにそれらのプログラムを適用した場合の実施形態である。
【００１９】
［１］商品販売システムの構成及び概要
まず、図１を用いて本実施形態における商品販売システム１の構成及び概要について説明する。
【００２０】
なお、図１は、本実施形態における商品販売システム１の構成を示すシステム構成図である。また、図が煩雑になることを防止するために、図１においては、一つの自動販売機４０のみを示している。すなわち、実際の商品販売システム１においては、表示するよりも多数の自動販売機４０が存在している。
【００２１】
本実施形態の商品販売システム１は、図１に示すように、ユーザによって所持されるウエアラブルデバイス１０と、ネットワーク２０と、商品を販売する自動販売機４０と、自動販売機４０を制御するサーバ装置５０と、を有している。
【００２２】
なお、例えば、本実施形態のウエアラブルデバイス１０は、本発明の端末装置を構成し、自動販売機４０及びサーバ装置５０は、本発明の商品販売装置を構成する。
【００２３】
ウエアラブルデバイス１０は、例えば、腕時計型デバイス、スマートフォン、携帯用電話機、タブレット型情報端末装置、又は、携帯型ゲーム機等の通信機能を有する端末装置である。
【００２４】
そして、ウエアラブルデバイス１０は、ユーザの歩数等の運動量など、ユーザに対して商品が販売される当日（以下、自動販売機４０を利用する「利用当日」ともいう。）における販売時点（以下、利用当日と同様に「利用時点」ともいう。）までに運動により実際に消費したエネルギ量（以下、「実消費エネルギ量」という。）を測定し、測定した実消費エネルギ量を自動販売機４０に送信可能な通信端末装置である。
【００２５】
特に、ウエアラブルデバイス１０は、ユーザが自動販売機４０で商品を購入する際に、自動販売機４０に対して至近距離に位置されることで、予め設定されたユーザの利用当日における消費すべき目標消費エネルギ量に対する実消費エネルギ量の差分値（以下、「第１の差分値」又は単に「差分値」ともいう。）を自動販売機４０に送信可能な構成を有している。
【００２６】
また、ウエアラブルデバイス１０は、ユーザによって摂取カロリーを管理させ、かつ、それをサポートするために、ユーザが自動販売機４０で商品を購入する際に、その商品に関する商品情報を自動販売機４０から受信し、受信した商品情報に含まれるカロリー情報に基づいて実消費エネルギ量と目標消費エネルギ量との差を示す差分値（以下、「第２の差分値」という。）を算出させてユーザの消費カロリーに反映させる構成を有している。
【００２７】
ネットワーク２０は、例えば、携帯電話網を含む公衆電話網と、ＩＰ（Ｉｎｔｅｒｎｅｔ  Ｐｒｏｔｏｃｏｌ）ネットワークが相互接続されて構成される。ただし、当該ネットワーク２０の構成は、これに限られない。
【００２８】
自動販売機４０は、例えば、飲食物等を購入可能なものの他、飲食店での券売機や、ＰＯＳを用いた店員のいない無人レジ等、飲食物その他の無人取引に使用される装置である。
【００２９】
特に、自動販売機４０は、ウエアラブルデバイス１０から目標消費エネルギ量に対する実消費エネルギ量の第１の差分値を受信するとともに、ユーザの属性を示す情報（以下、「属性情報」という。）を取得し、サーバ装置５０の制御の下、ウエアラブルデバイス１０を有するユーザに推薦すべき商品情報（すなわち、購入を推奨する商品の商品情報）を表示しつつ、ユーザにより購入された商品の商品情報をウエアラブルデバイス１０に送信する構成を有している。
【００３０】
そして、自動販売機４０は、ユーザを撮影し、得られた画像に基づきユーザの少なくとも性別及び年齢層を属性情報として推測する機能を有している。
【００３１】
また、自動販売機４０は、ウエアラブルデバイス１０と近距離無線通信を行う機能及びネットワーク２０を介してサーバ装置５０と通信接続し、商品情報の授受などデータ通信を行う通信機能を有している。
【００３２】
サーバ装置５０は、取得された実消費エネルギ量及び目標消費エネルギ量の第１の差分値及び属性情報と、自動販売機４０の周囲の気温や湿度などの環境を示す環境情報と、に基づいてユーザに適した商品を選択し、選択した商品の商品情報を自動販売機４０に送信（提供）するものとしている。
【００３３】
また、サーバ装置５０は、実消費エネルギ量と属性情報と環境情報との他に、目標消費エネルギ量とカロリー情報とに基づいてユーザに適した商品を選択する処理（以下、「商品の選択処理」という。）を実行可能な構成を有している。
【００３４】
このような構成を有することによって、本実施形態における商品販売システム１は、実消費エネルギ量、すなわち、ユーザの運動量をも考慮して商品を推奨することができるとともに、それによってサービスを向上させてユーザへの商品の販売促進を図ることができる。
【００３５】
特に、従来の飲料の自動販売機の場合においては、運動量が少ないユーザに対して、カロリーの高い飲料を推奨してしまう可能性がある。これに対し、本実施形態における商品販売システム１によれば、ユーザの運動量の情報を取得可能にすることで、より適切な商品を推奨することができるようになっている。
【００３６】
また、本実施形態における商品販売システム１は、ウエアラブルデバイス１０によってユーザが購入した商品の商品情報を取得させることができるので、ユーザにおける消費カロリーや摂取カロリーなどの商品情報に基づいた管理を行うことができるとともに、より的確な消費エネルギ量管理を実現することができるようになっている。
【００３７】
また、本実施形態における商品販売システム１は、実消費エネルギ量だけでなく、ユーザの目標消費エネルギ量に基づいて、推薦すべき商品を提供することができるので、よりユーザに適した商品を購入させることができるようになっている。
【００３８】
また、本実施形態における商品販売システム１は、ウエアラブルデバイス１０及び自動販売機４０の間で電子決済が可能であるので、ユーザの利便性を向上することができるとともに、電子決済の操作時にユーザはウエアラブルデバイス１０を自動販売機４０に近接させるため、実消費エネルギ量や目標消費エネルギ量を確実に自動販売機４０に送信することができるようになっている。
【００３９】
［２］構成
［２．１］ウエアラブルデバイス
次に、図２を用いて本実施形態のウエアラブルデバイス１０の構成について説明する。なお、図２は、本実施形態のウエアラブルデバイス１０の構成を示す構成図である。
【００４０】
本実施形態のウエアラブルデバイス１０は、図２に示すように、記憶部１００と、通信制御部１１０と、測定部１３０と、データ処理部１４０と、表示部１５０と、表示制御部１６０と、操作部１７０と、デバイス制御部１８０と、を有している。
【００４１】
なお、上記の各部は、バス１８１によって相互に接続され、各構成要素間におけるデータの転送が実行される。
【００４２】
また、例えば、本実施形態の記憶部１００は、本発明の目標値記憶部を構成し、通信制御部１１０は、本発明のエネルギ量送信部及び商品情報受信部を構成する。さらに、本実施形態の測定部１３０は、本発明の測定部を構成し、データ処理部１４０は、本発明の記録制御部及び目標値算出部を構成する。
【００４３】
記憶部１００は、例えば、ＮＡＮＤ型、ＮＯＲ型等の不揮発性フラッシュメモリ、又は、ハードディスクドライブ（以下、「ＨＤＤ」と略す。）によって構成される。また、記憶部１００は、通信制御部１１０、及び、デバイス制御部１８０のワークエリアとしてＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）も含まれる。
【００４４】
また、記憶部１００は、アプリケーション記憶部１０１と、実消費エネルギ量記憶部１０２と、目標消費エネルギ量記憶部１０３と、を少なくとも含む。
【００４５】
アプリケーション記憶部１０１には、データ処理部１４０、及び、デバイス制御部１８０によって実行される様々なアプリケーションプログラム（以下、「アプリケーション」という。）が記憶されている。本実施形態では、測定部１３０で測定されたユーザが歩いた歩数その他の運動実績に基づき、ユーザが一定期間に運動により消費したエネルギ量を算出するアプリケーションが記憶されている。
【００４６】
実消費エネルギ量記憶部１０２には、ユーザの利用当日における自動販売機４０の利用時点までに、運動により消費されたエネルギ量である実消費エネルギ量（例えば、朝起床してから自動販売機４０の利用時まで）と、目標値としての目標消費エネルギ量に対する実消費エネルギ量の差分値（すなわち、第１の差分値）と、が記憶される。
【００４７】
なお、本実施形態においては、実消費エネルギ量の期間（例えば運動開始時から終了時までの期間）はユーザによって又はアプリケーションによって定められる。また、実消費エネルギ量の算出処理の詳細については後述する。
【００４８】
目標消費エネルギ量記憶部１０３には、ユーザにより予め設定されたユーザの利用当日における消費すべき目標消費エネルギ量が記憶される。
【００４９】
通信制御部１１０は、自動販売機４０の通信制御部４１０と、各種データの授受を行う。特に、通信制御部１１０は、記憶部１００に記憶された実消費エネルギ量及び目標消費エネルギ量のデータを自動販売機４０に送信し、商品情報のカロリー情報を自動販売機４０から受信する。
【００５０】
なお、通信制御部１１０と自動販売機４０の通信制御部４１０との通信に利用される通信規格は、Ｂｌｕｅｔｏｏｔｈ（登録商標）などの近距離無線規格その他の既存の適宜な通信規格を適用することができる。
【００５１】
測定部１３０は、例えば、ウエアラブルデバイス１０に内蔵された加速度スイッチのオンオフや予め設定した運動種別により、ユーザが歩いた（若しくは走ったときの）歩数、距離又は時間をカウントし、または、自転車によって走行した距離や時間をカウントし、測定された歩数などの運動実績の情報を記憶部１００に記憶する。
【００５２】
データ処理部１４０は、アプリケーション記憶部１０１に記録されているアプリケーションに応じて各種データ処理を実行する。具体的には、データ処理部１４０は、ユーザが一定期間に消費したエネルギ量を算出するアプリケーションを実行し、予め記憶部１００に記憶されたユーザの体重等と、当該記憶部１００に記憶された歩数やその他の運動実績に基づき、その日に実際に消費された実消費エネルギ量を算出する。
【００５３】
また、データ処理部１４０は、目標値としての目標消費エネルギ量に対する実消費エネルギ量の差分値を第１の差分値として算出するともに、算出した実消費エネルギ量及び第１の差分値を実消費エネルギ量記憶部１０２に記憶する。
【００５４】
さらに、データ処理部１４０は、通信制御部１１０を介して、算出された目標消費エネルギ量に対する実消費エネルギ量の第１の差分値を自動販売機４０に送信するとともに、自動販売機４０から送信されたユーザが購入した商品のカロリー情報を受信する。
【００５５】
一方、データ処理部１４０は、自動販売機４０から送信された商品のカロリー情報を受信すると、取得したカロリー値と目標消費エネルギ量との差分（すなわち、第２の差分値）を算出し、その結果を表示部１５０に表示する。
【００５６】
データ処理部１４０は、実消費エネルギ量と目標消費エネルギ量との差を算出し、購入して飲食したと推測される商品のカロリーを、実消費エネルギ量と目標消費エネルギ量との差に反映させることによって、より的確な消費エネルギ量管理を実現することができるようになっている。
【００５７】
そして、データ処理部１４０は、自動販売機４０から受信した商品のカロリー情報を表示部１５０に表示することによって、ユーザが目指す健康状態に合った運動や食事の選択のヒントを伝えることができるようになっている。
【００５８】
なお、データ処理部１４０は、取得したカロリー値を目標消費エネルギ量に加算することで、購入して飲食したと推測される商品のカロリーを、実消費エネルギ量と目標消費エネルギ量との差に反映させてもよい。
【００５９】
表示部１５０は、例えば、液晶素子又は有機ＥＬ（Ｅｌｅｃｔｒｏ  Ｌｕｍｉｎｅｓｃｅｎｃｅ）素子のパネルによって構成され、表示制御部１６０において生成された表示データに基づいて所定の情報を表示する。
【００６０】
表示制御部１６０は、表示部１５０に表示させるために必要な表示データを生成するようになっており、生成された表示データを当該表示部１５０に出力する。
【００６１】
操作部１７０は、各種の確認ボタン、各操作指令を入力する操作ボタン、テンキー等の多数のキー及びタッチパネルにより構成され、各操作を行う際に用いられるようになっている。ユーザは、操作部１７０の利用により、目標消費エネルギ量をウエアラブルデバイス１０に入力できる。
【００６２】
デバイス制御部１８０は、主に中央演算処理装置（ＣＰＵ）によって構成されるとともに、キー入力ポート、表示制御ポート等の各種入出力ポートを含み、記憶部１００に記録された各種のアプリケーションを実行することにより、ウエアラブルデバイス１０の全般的な機能を総括的に制御する。
【００６３】
［２．２］自動販売機
次に、図３を用いて本実施形態の自動販売機４０の構成について説明する。なお、図３は、本実施形態の自動販売機４０の構成を示す構成図である。
【００６４】
本実施形態の自動販売機４０は、図３に示すように、記録部４００と、通信制御部４１０と、撮像部４３０と、データ処理部４４０と、表示部４５０と、表示制御部４６０と、操作部４７０と、環境センサ４８０と、自動販売機制御部４９０と、を有している。なお、上記の各部は、バス４９１によって相互に接続され、各構成要素間におけるデータの転送が実行される。
【００６５】
なお、例えば、本実施形態の通信制御部４１０は、本発明のエネルギ量受信部及び商品情報送信部を構成し、データ処理部４４０は、本発明の記憶管理部、属性情報取得部及び環境情報取得部を構成する。また、例えば、本実施形態の自動販売機制御部４９０は、本発明の商品提示部及び本発明の決済部を構成する。
【００６６】
記録部４００は、例えば、ＮＡＮＤ型、ＮＯＲ型等の不揮発性フラッシュメモリ、又は、ＨＤＤによって構成される。また、記録部４００は、通信制御部４１０、及び、自動販売機制御部４９０のワークエリアとしてＲＡＭ及びＲＯＭも含まれる。
【００６７】
また、記録部４００は、アプリケーション記憶部４０１と、属性情報記憶部４０２と、商品情報記憶部４０３と、を少なくとも含む。
【００６８】
アプリケーション記憶部４０１には、データ処理部４４０、及び、自動販売機制御部４９０によって実行される様々なアプリケーションが記録されている。例えば、アプリケーション記憶部４０１には、ユーザを撮像して得られた画像に基づいてユーザの少なくとも性別及び年齢層を属性情報として推測する処理（以下、「属性情報の推測処理」という。）を実行するアプリケーションが記録されている。
【００６９】
属性情報記憶部４０２には、商品を購入しようとするユーザの性別や年齢層等の属性情報が記憶される。
【００７０】
商品情報記憶部４０３には、この自動販売機４０により現在販売可能な商品のＩＤ、画像、名称、価格及びカロリー等の情報が記憶されている。
【００７１】
通信制御部４１０は、ネットワーク２０が準拠する通信規格により、ネットワーク２０を経由して、サーバ装置５０と、各種データの授受を行う。特に、通信制御部４１０は、属性情報記憶部４０２に記憶された属性情報のデータをサーバ装置５０に送信する。また、通信制御部４１０は、サーバ装置５０において選択された商品のＩＤ、及び選択された商品のカロリー情報をサーバ装置５０から受信する。
【００７２】
一方、通信制御部４１０は、ウエアラブルデバイス１０から送信された目標消費エネルギ量に対する実消費エネルギ量の第１の差分値を受信するとともに、ユーザによって購入された商品のカロリー情報をウエアラブルデバイス１０に送信する。
【００７３】
なお、上述のように、通信制御部４１０において、ウエアラブルデバイス１０との通信に用いられる通信規格は、Ｂｌｕｅｔｏｏｔｈ（登録商標）などの近距離無線規格その他の既存の適宜な通信規格を適用することができる。
【００７４】
また、サーバ装置５０との通信を行う通信規格はネットワーク２０の構成により変化する。例えば、ネットワーク２０が携帯電話網を含む場合に、３ＧＰＰ（３ｒｄ  Ｇｅｎｅｒａｔｉｏｎ  Ｐｅｒｔｎｅｒｓｈｉｐ  Ｐｒｏｊｅｃｔ）又は３ＧＰＰ２、ＬＴＥ（Ｌｏｎｇ  Ｔｅｒｍ  Ｅｖｏｌｕｔｉｏｎ）等の通信規格に準拠することになる。
【００７５】
撮像部４３０は、商品を購入しようとするユーザを撮像するためのレンズ等の光学系及び撮像素子を有する。撮像素子の出力信号はデータ処理部４４０へ送信される。
【００７６】
データ処理部４４０は、アプリケーション記憶部４０１に記録されているアプリケーションに応じて各種データ処理を実行する。具体的には、データ処理部４４０は、商品を購入しようとしているユーザを撮像部４３０により撮像して、その画像に基づいてユーザの少なくとも性別及び年齢層を属性情報として推測する属性情報の推測処理を実行し、当該推測した属性情報は、属性情報記憶部４０２に記憶する。
【００７７】
特に、ユーザを撮像して得られた画像から例えば身長や顔情報等を取得し、それに基づきユーザの少なくとも性別及び年齢層を属性情報として推測するアプリケーションを利用する。
【００７８】
表示部４５０は、例えば、自動販売機４０の前面に大画面で設けられ、液晶素子又は有機ＥＬ素子のパネルによって構成され、表示制御部４６０において生成された表示データに基づいて所定の画像や文字情報を表示する。
【００７９】
表示制御部４６０は、表示部４５０に表示させるために必要な表示データを生成するようになっており、生成された表示データを当該表示部４５０に出力する。具体的には、表示制御部４６０は、通常動作時においては、例えば、商品情報のうちの画像、価格等を表示部４５０に表示する。
【００８０】
一方、表示制御部４６０は、操作部４７０へのユーザ操作やウエアラブルデバイス１０が無線通信可能エリア内に存在することを検出した場合など、特別動作を行う場合には、サーバ装置５０からユーザに対して推薦する商品の商品情報が送信されると、それらの商品の画像や価格等を推薦する商品として表示部４５０に表示する。
【００８１】
操作部４７０は、コインを投入する投入口や、電子決済を行うタッチパネルや、購入する商品を選択するための例えば大意パネルからなる操作ボタン等を含んで構成され、各操作を行う際に用いられるようになっている。
【００８２】
環境センサ４８０は、例えば、温度計、湿度計、気圧計であり、これらを利用して、自動販売機４０の周囲の温度、湿度、天候等を環境情報として検出する。
【００８３】
自動販売機制御部４９０は、主に中央演算処理装置（ＣＰＵ）によって構成されるとともに、キー入力ポート、表示制御ポート等の各種入出力ポートを含み、記録部４００に記録された各種のアプリケーションを実行することにより、自動販売機４０の全般的な機能を総括的に制御する。
【００８４】
特に、自動販売機制御部４９０は、アプリケーション記憶部４０１に記憶された各種アプリケーションに基づいて、各処理を実現する。また、自動販売機制御部４９０は、規定の商品の商品情報を表示部４５０に表示して商品販売を実行する通常動作と、操作部４７０へのユーザ操作やウエアラブルデバイス１０が無線通信可能エリア内に存在することを検出した場合など、ユーザに推薦する商品の販売を行う特別動作を切り換えて実行する。
【００８５】
なお、通常動作は、一般的な技術であるので、その説明を省略する。ただし、本実施形態においては、自動販売機４０は、特別動作のみ行う機能を有していてもよい。
【００８６】
具体的には、自動販売機制御部４９０は、特別動作時には、ユーザによってコインが投入され、電子決済の手続きが実行され、又は、商品のボタンが押されるなどによって商品の購入を開始した場合に、撮像部４３０によりユーザを撮像し、データ処理部４４０によりユーザの属性情報を推測する。
【００８７】
そして、このとき、自動販売機制御部４９０は、通信制御部４１０を介して自動販売機４０から所定の範囲内に存在するウエアラブルデバイス１０と通信回線を確立するための制御を実行するとともに、当該ウエアラブルデバイス１０と通信回線が確立された場合には、当該ウエアラブルデバイス１０から目標消費エネルギ量に対する実消費エネルギ量の第１の差分値を要求する信号を取得する。
【００８８】
また、自動販売機制御部４９０は、環境センサ４８０により、自動販売機４０の周囲の温度、湿度、天候等を検出し、これらを環境情報として記録部４００に記憶する。そして、自動販売機制御部４９０は、通信制御部４１０を介して記録部４００に記憶されたユーザの属性情報、第１の差分値、及び、環境情報をサーバ装置５０に提供する。
【００８９】
さらに、自動販売機制御部４９０は、通信制御部４１０を介してサーバ装置５０から受信した選択された商品情報を表示制御部４６０により表示部４５０に表示し、購入された商品の商品情報をウエアラブルデバイス１０に提供する。
【００９０】
［２．３］サーバ装置
次に、図４を用いて本実施形態のサーバ装置５０の構成について説明する。なお、図４は、本実施形態のサーバ装置５０の構成を示すブロック図である。
【００９１】
本実施形態のサーバ装置５０は、図４に示すように、通信制御部５１０と、ＲＯＭ／ＲＡＭ５２０と、記録装置５３０と、サーバデータ処理部５４０と、サーバ管理制御部３５０と、を有する。なお、上記の各部は、バス５９１によって相互に接続され、各構成要素間におけるデータの転送が実行される。なお、本実施形態のサーバデータ処理部５４０は、本発明の商品決定部を構成し、記録装置５３０は、本発明のカロリー情報記憶部を構成する。
【００９２】
通信制御部５１０は、所定のネットワークインターフェースであり、自動販売機４０と通信チャネルを構築し、各種のデータの授受を行う。
【００９３】
ＲＯＭ／ＲＡＭ５２０には、サーバ装置５０の駆動に必要な各種のプログラムが記録されている。また、ＲＯＭ／ＲＡＭ５２０には、サーバデータ処理部５４０、及び、サーバ管理制御部３５０によって実行される様々なアプリケーションが記録されている。そして、ＲＯＭ／ＲＡＭ５２０は、各種の処理が実行される際のワークエリアとして用いられる。
【００９４】
サーバ管理制御部３５０は、主に中央演算処理装置（ＣＰＵ）によって構成され、プログラムを実行することによって、サーバ装置５０の各部を統合制御する。
【００９５】
記録装置５３０は、ＨＤＤにより構成され、その記憶領域内に、少なくとも商品ＤＢ３３１を有している。
【００９６】
商品情報ＤＢ５３１は、処理の対象となる商品の各種情報が格納されるデータベースである。例えば、商品情報ＤＢ５３１には、各商品のＩＤと、画像と、価格と、カロリー情報とが、対応付けて登録（記憶）される。
【００９７】
サーバデータ処理部５４０は、現在時刻を検出するタイマー機能を有し、ＲＯＭ／ＲＡＭ５２０に記録されているアプリケーションに応じて各種データ処理を実行する。特に、サーバデータ処理部５４０は、自動販売機４０から送信された第１の差分値と、属性情報と、環境情報とを受信し、ＲＯＭ／ＲＡＭ５２０に記憶する。
【００９８】
また、サーバデータ処理部５４０は、その自動販売機４０で販売されている商品に関する商品情報のうち、カロリー情報を商品情報ＤＢ５３１から取得するとともに、第１の差分値と、属性情報と、環境情報と、カロリー情報とに基づいて、ユーザに適した商品を選択する商品の選択処理を実行し、自動販売機４０に送信（提供）する。
【００９９】
具体的には、サーバデータ処理部５４０は、自動販売機４０において商品を前記ユーザに提示する際に、商品情報ＤＢ５３１の商品の中から、受信した第１の差分値に対して所定の条件を具備するカロリー情報を有する商品をユーザに適した商品として決定する。
【０１００】
特に、本実施形態においては、サーバデータ処理部５４０は、ユーザに適した商品を決定する際に、受信した属性情報及び環境情報を利用し、第１の差分値とともに、ユーザに適した商品として決定する。
【０１０１】
具体的には、サーバデータ処理部５４０は、所定の条件として、第１の差分値が「０」否か、すなわち、実消費エネルギが目標消費エネルギに達成しているか否か、また、第１の差分値が「０」でない場合（達成していない場合）には、達成度を検出し、かつ、達成度と商品のカロリー情報とに基づいて選択可能な商品群を決定する。
【０１０２】
例えば、サーバデータ処理部５４０は、第１の差分値が「０」の場合（すなわち、実消費エネルギ量が目標消費エネルギを達成している場合）には、全ての商品を選択可能な商品群に決定する。ただし、サーバデータ処理部５４０は、タイマー（図示せず）より現在時刻を取得し、予め定められた時刻以降（例えば、１８時以降）の場合には、購入した商品の摂取により目標消費エネルギの未達が懸念されるため、低カロリー商品として登録されている商品、又は、５０キロカロリー以下などの予め定められたカロリーを有する商品を選択可能な商品群に決定する。
【０１０３】
一方、サーバデータ処理部５４０は、第１の差分値が「０」でない場合（すなわち、実消費エネルギ量が目標消費エネルギに未達の場合）には、低カロリー商品として登録されている商品、又は、５０キロカロリー以下などの予め定められたカロリーを有する商品を選択可能な商品群に決定する。
【０１０４】
なお、サーバデータ処理部５４０は、タイマー（図示せず）より現在時刻を検出し、予め定められた時刻以降（例えば、１３時前）の場合には、後のエネルギ量の消費が予想されるため、全ての商品、又は、高カロリー商品や１００キロカロリーなど予め定められたカロリー以上の商品であってもエネルギ消費をサポートするような商品（特定保健用食品など）を選択可能な商品群に決定する。
【０１０５】
また、サーバデータ処理部５４０は、第１の差分値が「０」でない場合であって、その数値が閾値以下（例えば、１００キロカロリー以下など）達成目前の場合には、達成時と同様に全ての商品を選択可能な商品群に決定してもよいし、当該閾値以下のカロリーに応じて、選択可能な商品群におけるカロリーの閾値を調整してもよい。
【０１０６】
さらに、サーバデータ処理部５４０は、第１の差分値が「０」でない場合（すなわち、実良否エネルギが目標消費エネルギに未達の場合）には、差分値を３つ程度のランクに分けて、当該ランクに応じて定まるカロリーの閾値や商品分類（ノンカロリー商品や低カロリー商品）に応じて選択可能な商品を決定してもよい。
【０１０７】
この場合には、商品情報ＤＢ５３１には、予め定められた閾値のカロリーより当該カロリーが低い商品又はすでにカロリーが低い商品とグループ分けされている情報が商品情報に記録されていればよいし、ノンカロリー商品や低カロリー商品など区分けされた情報が商品情報に記録されていればよい。
【０１０８】
そして、サーバデータ処理部５４０は、商品カロリーに代えて及び当該商品カロリーとともに、糖分の有無、糖分の種類（人工甘味料、果汁、ブドウ糖など）、成分の種類（食物繊維入りなど）に応じて選択可能な商品を決定してもよい。
【０１０９】
例えば、サーバデータ処理部５４０は、目標消費エネルギに未達の場合には、糖分が含有されていない商品群や糖分が合って人工甘味料のもの、又は、食物繊維が含有されているものなどを選択可能商品に決定してもよい。
【０１１０】
他方、サーバデータ処理部５４０は、上述のように選択可能な商品群が決定されると、当該選択可能な商品群の中から、属性情報や環境情報に基づいて、該当する商品を推奨商品として選択する。
【０１１１】
具体的には、サーバデータ処理部５４０は、年齢や男女差などの属性、及び、暑い、寒い又は乾燥しているなどの環境に基づいて、推奨される候補となる商品の中から、該当商品を選択する。
【０１１２】
例えば、サーバデータ処理部５４０は、男性の場合には、「コーヒー」のカテゴリの商品及び女性の場合には、「紅茶」や「お茶」のカテゴリの商品を該当する商品として選択する。また、サーバデータ処理部５４０は、気温が２５℃以上の場合には、冷たい商品を該当する商品として選択し、気温が１５℃以下の場合には、暖かい商品を該当する商品として選択する。さらに、サーバデータ処理部５４０は、湿度が３０％以下である場合には、同一の商品であっても容量が多い商品（例えば、３００ｍｌと５００ｍｌがあれば５００ｍｌの商品）を該当する商品として選択する。
【０１１３】
なお、サーバデータ処理部５４０は、条件に合致する商品をすべて該当する商品として選択してもよいし、該当商品の数が多い場合には、人気順における上位５つなどの商品を該当する商品として選択してもよい。
【０１１４】
また、サーバデータ処理部５４０は、上述では、商品を選択する際に、実消費エネルギ量と目標消費エネルギ量との割合と、カロリー情報と、によって選択可能な商品群を決定するとともに、その中から、属性情報及び環境情報に基づいてユーザに適した商品を選択しているが、属性情報及び環境情報に基づいて選択可能な商品群を決定し、決定した商品群の中から実消費エネルギ量と目標消費エネルギ量との割合と、カロリー情報と、によってユーザに適した商品を選択してもよい。
【０１１５】
［３］商品販売システムの動作処理
［３．１］ウエアラブルデバイス
次に、図５を用いて本実施形態の商品販売システム１におけるウエアラブルデバイス１０において実行される具体的な処理について説明する。なお、図５は、ウエアラブルデバイス１０において実行される各処理を示すフローチャートである。
【０１１６】
この処理に先立って、ユーザは、ウエアラブルデバイス１０の操作部１７０を利用して目標消費エネルギ量を入力し、記憶部１００に登録（記憶）しているものとし、測定部１３０によよって測定されたユーザの運動量（運動実績）、例えば歩数が予め記憶部１００に記憶されているものとする。
【０１１７】
また、本動作は、商品の購入時又は購入直後に自動販売機４０と連動して実行される動作である。
【０１１８】
まず、データ処理部１４０は、予め通信可能な装置として登録された自動販売機４０との通信可能状態を検出すると（ステップＳ１０１）、自動販売機４０からデータ要求があったか否か、すなわち、目標消費エネルギ量に対する実消費エネルギ量の第１の差分値を要求する信号を受信の有無を検出する（ステップＳ１０２）。
【０１１９】
このとき、データ処理部１４０は、自動販売機４０からデータ要求を検出すると、記憶部１００に記憶されている当日の運動量に基づいて、実消費エネルギ量を算出するとともに（ステップＳ１０３）、目標消費エネルギ量に対する実消費エネルギ量の第１の差分値する（ステップＳ１０４）。このとき、データ処理部１４０は、算出した第１の差分値及び実消費エネルギ量を実消費エネルギ量記憶部１０２に記憶する。
【０１２０】
次いで、データ処理部１４０は、算出した第１の差分値及び実消費エネルギ量を実消費エネルギ量記憶部１０２に記憶しつつ、当該差分値を自動販売機４０に送信する（ステップＳ１０５）。
【０１２１】
次いで、データ処理部１４０は、自動販売機４０からユーザが購入した商品の商品情報（カロリー情報）を受信したことを検出すると（ステップＳ１０６）、取得したカロリー情報及び目標消費エネルギ量に基づいて第２の差分値を算出し（ステップＳ１０７）、当該算出した第２の差分値を表示部１５０に表示させて（ステップＳ１０８）本動作を終了させる。
【０１２２】
［３．２］自動販売機
次に、図６を用いて本実施形態の商品販売システム１における自動販売機４０において実行される具体的な処理について説明する。なお、図６は、自動販売機４０において実行される各処理を示すフローチャートである。
【０１２３】
本動作は、ウエアラブルデバイス１０及びサーバ装置５０と連動して実行される動作であり、商品の購入時に実行される処理である。また、本動作は、自動販売機４０は、所定のエリア内に該当するウエアラブルデバイス１０との通信可能状態になり、又は、操作部４７０への所定の操作によって特別動作の実行が開始されているものとする。
【０１２４】
まず、自動販売機４０の自動販売機制御部４９０は、ユーザにより自動販売機４０にコインが投入されたり、電子決済の手続きがされたり、あるいは商品ボタンが操作されたりする等の購入動作がされたかを検出すると（ステップＳ２００）、ウエアラブルデバイス１０に対して、データ要求、すなわち、目標消費エネルギ量に対する実消費エネルギ量の第１の差分値を要求する信号を送信する（ステップＳ２０１）。
【０１２５】
次いで、自動販売機制御部４９０は、ウエアラブルデバイス１０からデータ、すなわち、第１の差分値を受信すると（ステップＳ２０２）、撮像部４３０によりユーザを撮影し、ユーザの身長や顔情報に基づいて属性情報を取得するとともに（ステップＳ２０３）環境センサ４８０により、自動販売機４０の周囲の環境情報を取得する（ステップＳ２０４）。なお、ステップＳ２０３及びステップＳ２０４は、どちらを先に実行してもよい。
【０１２６】
次いで、自動販売機制御部４９０は、サーバ装置５０に対して、第１の差分値、属性情報、環境情報を送信する（ステップＳ２０５）。
【０１２７】
次いで、自動販売機制御部４９０が、サーバ装置５０から選択された商品の商品情報を受信したか否かを検出すると（ステップＳ２０６）、選択された商品の画像や価格等を推薦商品として表示部４５０に表示する（ステップＳ２０７）。
【０１２８】
さらに、自動販売機制御部４９０は、ユーザの操作に基づいてユーザが購入する商品の選択をしたか否かを判断する（ステップＳ２０８）。このとき、自動販売機制御部４９０が、ユーザが商品を購入したと判断した場合には、決済処理を実行するとともに（ステップＳ２０９）、ウエアラブルデバイス１０に対してユーザが購入した商品の商品情報としてカロリー情報を送信し（ステップＳ２１０）、本動作を終了させる。
【０１２９】
なお、自動販売機制御部４９０が、一定期間が経過しても商品が選択されないなどユーザが商品を購入していないと判断した場合には、そのまま本動作を終了させる。
【０１３０】
［３．３］サーバ装置
次に、図７を用いて本実施形態の商品販売システム１におけるサーバ装置５０において実行される具体的な処理について説明する。なお、図７は、サーバ装置５０において実行される各処理を示すフローチャートである。
【０１３１】
本動作は、自動販売機４０と連動して実行される動作であり、商品の購入時に実行される処理である。
【０１３２】
サーバ装置５０のサーバ管理制御部３５０は、自動販売機４０からデータ受信、すなわち、第１の差分値、属性情報、環境情報を受信すると（ステップＳ３００）、その自動販売機４０で販売されている商品に関する商品情報のうち、カロリー情報を商品情報ＤＢ５３１から取得する（ステップＳ３０１）。
【０１３３】
次いで、サーバ管理制御部３５０は、第１の差分値、属性情報、環境情報、カロリー情報に基づいて、ユーザに適した商品を選択する（ステップＳ３０２）。例えば、サーバ管理制御部３５０は、上述のように、第１の差分値及びカロリー情報を用いて、該当する選択可能な商品群を決定しつつ、当該決定した選択可能な商品群の中から推薦商品を選択する。
【０１３４】
次いで、サーバ管理制御部３５０は、選択した商品の商品情報を自動販売機４０に送信（提供）し（ステップＳ３０３）、本動作を終了させる。
【０１３５】
以上、本実施形態において、商品販売システム１によれば、ウエアラブルデバイス１０を有するユーザが自動販売機４０で商品を購入しようとする際に、実消費エネルギ量、属性情報、自動販売機４０の環境情報に基づいて、ユーザに適切な商品を選択し、その商品情報をユーザに提示することができる。
【０１３６】
したがって、商品販売システム１によれば、ユーザの属性情報や自動販売機４０の環境情報に加えて、ユーザの運動量をも考慮して商品を推奨することができるとともに、それによってサービスを向上させてユーザへの商品の販売促進を図ることができる。
【０１３７】
［４］変形例
［４．１］変形例１
上記実施形態においては、自動販売機４０とサーバ装置５０とを別々に設け、自動販売機４０とは別の所でユーザに推薦する商品を選択する構成としたが、ユーザに推薦する商品を選択する手段を自動販売機４０に内蔵されたコンピュータにより構成するようにしてもよい。この場合、自動販売機４０は、ネットワーク２０を介することなく、スタンドアローン型の装置として動作が可能である。
【０１３８】
［４．２］変形例２
上記実施形態においては、ウエアラブルデバイス１０は、ユーザの商品購入後に、受信したカロリー情報に基づいて目標消費エネルギ量との差分値を算出しているが、目標消費エネルギ量はそのままでカロリー情報を加算し、又は、実消費エネルギに当該カロリー情報を減算してその結果を表示するようにしてもよい。
【０１３９】
［４．３］変形例３
上記実施形態においては、サーバ装置５０は、差分値を用いてユーザに適した商品を選択する構成としたが、目標エネルギ量及び実消費エネルギ量を取得し、これらの値に基づいてユーザに適した商品を選択する構成としてもよいし、サーバ装置５０によって差分値を算出してユーザに適した商品を選択する構成としてもよい。
【０１４０】
また、この場合には、サーバ装置５０は、目標エネルギ量及び実消費エネルギ量のいずれか一方の情報のみ利用してもよい。特に、この場合には、ユーザに推薦する商品の選択に実消費エネルギ量を参照しているので、ユーザの運動量を考慮した商品の推奨を実現することができる。また、目標消費エネルギ量を利用しない場合は、ユーザが予めウエアラブルデバイス１０に目標消費エネルギ量を入力する必要が無くなり、システムを簡素化することができる。また、カロリー情報を利用しない場合は、サーバ装置５０に商品情報の一部であるカロリー情報が不要になるので、システムを簡素化することができる。
【０１４１】
［４．４］変形例４
上記実施形態においては、自動販売機４０は環境センサ４８０を備え、環境情報を取得する構成としたが、サーバ装置５０が自動販売機４０の周辺の環境情報を気温や天候等を配信する外部サーバ（図示せず）から取得するようにしてもよい。
【０１４２】
［４．５］変形例５
上記実施形態の商品販売システム１においては、飲食物その他の取引に用いる自動販売機４０から商品を購入する場合について説明したが、有人のＰＯＳ機能を有するレジ端末装置を用いて商品を購入する場合であっても適用することができる。
【符号の説明】
【０１４３】
１  …  商品販売システム
１０  …  ウエアラブルデバイス
２０  …  ネットワーク
４０  …  自動販売機
５０  …  サーバ装置
１００  …  記憶部
１０１  …アプリケーション記録部
１０２  …  実消費エネルギ量記憶部
１１０  …  通信制御部
１３０  …  測定部
１４０  …  データ処理部
４００  …  記録部
４０１  …アプリケーション記録部
４０２  …  属性情報記憶部
４０３  …  商品情報記憶部
４１０  …  通信制御部
４３０  …  撮像部
４４０  …  データ処理部
４５０  …  表示部
４６０  …  表示制御部
４７０  …  操作部
４８０  …  環境センサ
５１０  …  通信制御部
５２０  …  ＲＯＭ／ＲＡＭ
５３０  …  記録装置
５３１  …  商品情報ＤＢ５３１
５４０  …  サーバデータ処理部
５５０  …  サーバ管理制御部
【図１】
2016128956.tif 000003
【図２】
2016128956.tif 000004
【図３】
2016128956.tif 000005
【図４】
2016128956.tif 000006
【図５】
2016128956.tif 000007
【図６】
2016128956.tif 000008
【図７】
2016128956.tif 000009